(57)【特許請求の範囲】
【請求項１】
液晶パネルと、
前記液晶パネルを内部に保持する液晶パネル保持部材と、
光源および前記光源から放たれた光を前記液晶パネルに照射するように前記液晶パネルの表示面側に位置する導光板を含むフロントライトユニットとを備え、
前記フロントライトユニットは、前記液晶パネル保持部材内に保持されて位置決めされており、
前記液晶パネルと前記液晶パネル保持部材と前記フロントライトユニットを収納する本体カバーをさらに備え、
前記本体カバーと前記フロントライトユニットとの間に所定の隙間が設けられており、
前記本体カバーと前記フロントライトユニットとの間の隙間を封じる密閉部材をさらに備えた、液晶表示装置。
【請求項２】
前記光源に電力を供給するために前記液晶パネル保持部材に沿って設けられた導電部材をさらに備えた、請求項１に記載の液晶表示装置。
【請求項３】
前記液晶パネル保持部材は前記光源の上方に延在する突出部を含む、請求項１に記載の液晶表示装置。
【請求項４】
前記液晶パネルと前記フロントライトユニットとの間に所定の隙間が設けられている、請求項１に記載の液晶表示装置。
【請求項５】
前記液晶パネルと前記フロントライトユニットとの間の隙間を封じる別の密閉部材をさらに備えた、請求項４に記載の液晶表示装置。
【発明の詳細な説明】
【０００１】
【発明の属する技術分野】
この発明は、液晶表示装置およびフロントライトユニット関し、特に、組立が容易な液晶表示装置およびフロントライトユニットに関するものである。
【０００２】
【従来の技術】
従来、表示装置として、液晶表示装置が知られている。液晶表示装置は、パソコンなどのディスプレイだけでなく、携帯電話等の携帯情報端末の表示装置としても広く用いられている。
【０００３】
図１２は、従来の液晶表示装置を有する携帯電話機の平面図である。図１２を参照して、従来の携帯電話機１ｂは、フロントケース１０１と、保護窓１０２と、操作キー１０５と、多機能スイッチ１０６と、フリップ１０７と、液晶表示装置１００ｋとを有する。
【０００４】
フロントケース１０１は、携帯電話機１ｂの筐体であり、このフロントケース１０１にそれぞれの部材が取付けられる。フロントケース１０１の開口部分に保護窓１０２が設けられる。保護窓１０２は透明の部材であり、フロントケース１０１内に収納される液晶表示装置１００ｋに外圧等が加わるのを防ぐ働きをする。
【０００５】
アンテナ１０３は、携帯電話機１ｂの一端側に取付けられ、電磁波を発信し、さらに電磁波を受信する。アンテナ１０３の大部分は、通常は携帯電話機１ｂ内に収納されており、通話時には、アンテナ１０３は伸ばされて使用される。
【０００６】
携帯電話機１ｂの中央部には、操作キー１０５が設けられている。操作キー１０５は、人が指で押して情報を入力するための部材であり、複数設けられている。
【０００７】
隣り合う操作キー１０５の間には、多機能スイッチ１０６が設けられている。操作キー１０５や多機能スイッチ１０６により入力された情報は、フロントケース１０１内の液晶表示装置１００ｋに表示される。フロントケース１０１を覆うようにフリップ１０７が設けられている。
【０００８】
図１３は、図１２中のXIII−XIII線に沿って見た断面を示す図である。図１３を参照して、液晶表示装置１００ｋは、メイン基板１１０と、液晶パネル１２０と、ＬＥＤ（発光ダイオード）１３１と、導光板１３６とを有する。メイン基板１１０上にＬＥＤ１３１、導光板１３６、液晶パネル１２０がそれぞれ位置決めされている。
【０００９】
メイン基板１１０の表面には、フロントケース１０１裏面側に形成された突出部１１０ｃが当接されている。メイン基板１１０には、液晶パネル１２０と電気的に接続され、液晶パネル１２０に電力を供給するためのコネクタ１１１が取付けられている。メイン基板１１０上には、導光板１３６および液晶パネル１２０を保持するためのフレーム２１７が設けられている。フレーム２１７は、導光板１３６と液晶パネル１２０とを保持している。フレーム２１７の外表面に沿って、ＦＰＣ（フレキシブルプリント回路）１２５が設けられている。
【００１０】
導光板１３６は、液晶パネル１２０と向い合うように設けられ、導光板１３６の一方端はＬＥＤ１３１に向い合い、ＬＥＤ１３１から放たれた光を受入れる。
【００１１】
液晶パネル１２０は、互いに対向する１対のガラス基板１２２および１２３と、ガラス基板１２２および１２３の両側に設けられた偏光板１２１および１２４とにより構成される。ガラス基板１２２および１２３の間には液晶が保持されている。この液晶に所定の電界を印加することにより、液晶の分子の配列が変化する。ガラス基板１２２および１２３の表面には、複数の微細な電極が形成されており、ガラス基板１２２の表面に形成された電極とＦＰＣ１２５とが電気的に接続されている。
【００１２】
この液晶表示装置１００ｋでは、導光板１３６が、液晶パネル１２０の表示側と反対側に位置するため、このような方式は、いわゆるバックライト方式として広く知られている。バックライト方式の液晶表示装置によれば、ＬＥＤ１３１から放たれた光は導光板１３６を介して液晶パネル１２０へ照射される。液晶パネル１２０へ照射された光のうち、液晶パネル１２０を透過した光だけがその上方に射出される。この光が人の目で認識され、人は、液晶パネル１２０に表示された文字や図形を認識することができる。
【００１３】
メイン基板１１０の上方には、フロントケース１０１が設けられている。フロントケース１０１には、開口１０１ａが形成されている。この開口１０１ａを覆うように保護窓１０２が形成されている。保護窓１０２は、液晶パネル１２０に外圧が加わるのを防止する。フロントケース１０１とフレーム２１７との間にはパッキン１４１および１４２が設けられている。
【００１４】
【発明が解決しようとする課題】
近年、より高性能な液晶表示装置が求められている。具体的には、液晶表示装置のカラー化、輝度（明るさ）の向上、色彩の彩度（色味）の向上が求められている。そのために、上述のバックライト方式に代わり、液晶パネルの表示面側に導光板を位置決めする、いわゆるフロントライト方式の液晶表示装置が開発されている。フロントライト方式では、バックライト方式に比べて光源から放たれた光のうち、反射する光の割合が大きい。そのため、カラー化のために液晶パネルの表示面側にカラーフィルターを設けた場合にも輝度が低下しない。また、人の目に到達する光は２度カラーフィルターを通過するので、色彩の彩度も向上する。
【００１５】
図１４は、従来のフロントライト方式の液晶表示装置の動作原理を示す模式図である。図１４を参照して、液晶表示装置５０１は、フロントライトユニット５０３と、その下側の反射型の液晶表示部５０５とにより構成される。液晶表示部５０５は、液晶層を上下の偏光板で挟んだような構造からなり、最下部には、反射板５０７が設けられている。
【００１６】
フロントライトユニット５０３は、光源部５１１と導光板５０９とにより構成される。光源部５１１は、発光体としてのランプ５１３と、ランプ５１３の後に設けられたランプホルダ５１５とを含む。導光板５０９は、透明体により構成され、液晶表示部５０５に対面する導光板裏面５０９Ａと、反対側の導光板表面５０９Ｂとを含む。
【００１７】
ランプ５１３から放たれた光は、導光板５０９に入り、その一部が導光板表面５０９Ｂで反射して液晶表示部５０５へ射出される。液晶表示部５０５を透過した光が反射板５０７で反射し、再度導光板５０９を透過して人の目に届く。これにより、人は、液晶表示部５０５に表わされた文字や図形を認識することができる。
【００１８】
このようなフロントライト方式の液晶表示装置は、液晶表示装置を構成する各部品同士の位置決めが困難であり、組立性が悪いという問題があった。
【００１９】
そこで、この発明は、上述のような問題点を解決するためになされたものであり、各部品の位置決めを確実に行ない、組立性が向上した液晶表示装置およびフロントライトユニットを提供することを目的とするものである。
【００２０】
【課題を解決するための手段】
この発明に従った液晶表示装置は、液晶パネルと、液晶パネルを内部に保持する液晶パネル保持部材と、光源および光源から放たれた光を液晶パネルに照射するように液晶パネルの表示面側に位置する導光板を含むフロントライトユニットとを備える。フロントライトユニットは、液晶パネル保持部材内に保持されて位置決めされている。液晶表示装置は、液晶パネルと液晶パネル保持部材とフロントライトユニットとを収納する本体カバーをさらに備える。本体カバーとフロントライトユニットとの間に所定の隙間が設けられている。本体カバーとフロントライトユニットとの間の隙間を封じる密閉部材をさらに備える。
このように構成された液晶表示装置においては、フロントライトユニットと本体カバーとの隙間が封じられてその部分にごみ等が入らないため、視認性が向上する。
【００２１】
このように構成された液晶表示装置においては、液晶パネル保持部材が液晶パネルを保持するとともに、フロントライトユニットを保持する。そのため、フロントライトユニットおよび液晶パネルが液晶保持部材により確実に位置決めされるため、組立性が向上する。
【００２２】
また好ましくは、液晶表示装置は、光源に電力を供給するために液晶パネル保持部材に沿って設けられた導電部材をさらに備える。この場合、導電部材が液晶パネル保持部材に沿って設けられるため、導電部材も液晶パネル保持部材に位置決めされることになる。その結果、さらに組立性が向上する。
【００２３】
また好ましくは、液晶パネル保持部材は、光源の上方に延在する突出部を含む。この場合、突出部が光源から漏れる光を遮ることができ、光の伝達ロスを少なくするとともに、視認性が向上する。
【００２４】
また好ましくは、液晶パネルとフロントライトユニットとの間に所定の隙間が設けられている。この場合、液晶パネルまたはフロントライトユニットのいずれか一方に反りが生じても、この反りがフロントライトユニットおよび液晶パネルの他方に伝わることがない。その結果、品質の高い液晶表示装置とすることができる。さらに液晶パネルとフロントライトユニットの間の結露を防止することができる。さらに、液晶パネルおよびフロントライトユニットのいずれかに外力が加わっても、液晶パネルおよびフロントライトユニットの他方にこの外力が加わることがない。
【００２５】
また好ましくは、液晶表示装置は、液晶パネルとフロントライトユニットとの間の隙間を封じる別の密閉部材をさらに備える。この場合、液晶パネルとフロントライトユニットとの間の隙間が封じられてその部分にごみ等が入らないため、視認性が向上する。
【００３１】
【発明の実施の形態】
以下、この発明の実施の形態について、図面を参照して説明する。
【００３２】
（実施の形態１）
図１は、この発明の実施の形態１に従った液晶表示装置を有する携帯電話機の平面図である。図１を参照して、従来の携帯電話機１ａは、フロントケース１０１と、保護窓１０２と、操作キー１０５と、多機能スイッチ１０６と、フリップ１０７と、液晶表示装置１００ａとを有する。
【００３３】
フロントケース１０１は、携帯電話機１ａの筐体としての働きをする。このフロントケース１０１にそれぞれの部材が取付けられる。フロントケース１０１の開口部分に保護窓１０２が設けられる。保護窓１０２は透明の部材により構成され、フロントケース１０１内に収納される液晶表示装置１００ａに外圧等が加わるのを防ぐ働きをする。
【００３４】
アンテナ１０３は、フロントケース１０１の先端部に取付けられ、電磁波を発信し、さらに電磁波を受信する。アンテナ１０３の大部分はフロントケース１０１内に収納されており、携帯電話機１ａを使用する際にアンテナ１０３は伸ばされて使用される。
【００３５】
携帯電話機１ａの中央部には、操作キー１０５が設けられている。操作キー１０５は、人が指で押して情報を入力するための部材であり、複数設けられている。
【００３６】
隣り合う操作キー１０５の間には、多機能スイッチ１０６が設けられている。操作キー１０５や多機能スイッチ１０６により入力された情報は、液晶表示装置１００ａに表示される。フロントケース１０１を覆うようにフリップ１０７が設けられている。
【００３７】
図２は、図１中のII−II線に沿って見た断面を示す図である。図２を参照して、液晶表示装置１００ａは、メイン基板１１０と、液晶パネル１２０と、液晶パネル１２０を内部に保持する液晶パネル保持部材としてのＬＣＤ（液晶ディスプレイ）フレーム１１２と、フロントライトユニット２００とを備える。フロントライトユニット２００は、光源としてのＬＥＤ１３１と、ＬＥＤ１３１から放たれた光を液晶パネル１２０に照射するように液晶パネル１２０の表示面側に位置するアクリル樹脂からなる透明の導光板１３２とを含む。フロントライトユニット２００は、ＬＣＤフレーム１１２内に保持されている。
【００３８】
メイン基板１１０の表面には、所定の電池と電気的に接続されるコネクタ１１１が形成されている。メイン基板１１０上にはＬＣＤフレーム１１２が載置されている。ＬＣＤフレーム１１２の下面には、液晶パネル１２０に電気信号を電気信号を送るためのＦＰＣ１２５が配置されている。
【００３９】
ＬＣＤフレーム１１２は、液晶パネル１２０を抱え込んで保持している。液晶パネル１２０は、互いに対向するように位置決めされたガラス基板１２２および１２３と、ガラス基板１２２および１２３の両側に配置された偏光板１２１および１２４により構成される。ガラス基板１２２および１２３の間には液晶が保持されており、この液晶に所定の電圧を印加することにより、液晶分子の向きを変えることができる。なお、反射板が偏光板１２４とＬＣＤフレーム１１２との間に設けられる。ガラス基板１２２および１２３の間に、反射板を設けてもよい。この場合、偏光板１２４を省略することができる。ガラス基板１２２にはカラーフィルターが設けられている。
【００４０】
液晶パネル１２０の表示面側に、ＬＣＤフレーム１１２に保持されるようにＬＥＤ１３１および導光板１３２が位置決めされている。ＬＥＤ１３１下には、ＬＥＤ１３１に電力を供給するためのＦＰＣ１３３が設けられており、ＦＰＣ１３３がメイン基板１１０に接続されている。ＬＥＤ１３１、導光板１３２およびＦＰＣ１３３は、所定のフレーム１５１に収納されてフロントライトユニット２００を構成する。フレーム１５１が偏光板１２１上に載置されている。この液晶表示装置１００ａでは、導光板１３２が液晶パネル１２０の表示面側に位置するので、いわゆるフロントライト方式のものである。
【００４１】
メイン基板１１０上方にはフロントケース１０１が位置決めされている。フロントケース１０１は開口１０１ａを有し、開口１０１ａを覆うように保護窓１０２が設けられている。保護窓１０２は、フロントライトユニット２００に外力が加わるのを防止する働きをする。フロントケース１０１の下部には、ゴム製のパッキン１４１および１４２が設けられている。パッキン１４１および１４２はＬＣＤフレーム１１２と当接する。
【００４２】
ＬＥＤ１３１から放たれた光は、導光板１３２を介して液晶パネル１２０に照射される。液晶パネル１２０に照射された光が、図示しない反射板で反射して再度導光板１３２を透過し、人の目に届く。これにより、人は、液晶パネル１２０に表示された文字や図形を認識することができる。
【００４３】
このように構成された液晶表示装置１００ａにおいては、まず、フロントライトユニット２００を構成するＬＥＤ１３１および導光板１３２が、ＬＣＤフレーム１１２により位置決めされる。そのため、フロントライトユニット２００の位置決めを確実に行なうことができ、組立性が向上する。
【００４４】
さらに、このＬＣＤフレーム１１２は、本来液晶パネル１２０を保持するものであるため、これを用いてフロントライトユニット２００を保持することにより新たな部品を設けることなくフロントライトユニット２００を位置決めすることができる。
【００４５】
（実施の形態２）
図３は、この発明の実施の形態２に従った液晶表示装置の平面図である。この発明の実施の形態２に従った液晶表示装置は、図２で示すメイン基板１１０、液晶パネル１２０、ＬＣＤフレーム１１２および導光板１３２と同様のメイン基板、液晶パネル、ＬＣＤフレーム（それぞれ図示せず）および導光板１３２を有する。
【００４６】
図３を参照して、この発明の実施の形態２に従った液晶表示装置のフロントライトユニット２００は、ＬＣＤフレーム内に収納されたフレーム１５１を有する。フレーム１５１内には導光板１３２と、ＬＥＤ１３１と、光伝達部材としてのアクリル樹脂からなるライトガイド１３４が収納されている。ＬＥＤ１３１に電力を供給するためにＬＣＤフレームに沿って設けられた導電部材としての配線２３６が設けられている。配線２３６はＬＥＤ１３１に接続されている。
【００４７】
ＬＥＤ１３１から放たれた光は、ライトガイド１３４を介して導光板１３２へ照射される。導光板１３２へ照射された光が液晶パネルに照射される。
【００４８】
このように構成された液晶表示装置１００ｂでは、まず図２で示した液晶表示装置１００ａと同様の効果がある。さらに、ＬＣＤフレームに沿うように配線２３６を設けるために、配線２３６を固定する新たな部材を必要としない。
【００４９】
（実施の形態３）
図４は、この発明の実施の形態３に従った液晶表示装置の断面図である。図４を参照して、この発明の実施の形態３に従った液晶表示装置１００ｃでは、図２で示す液晶表示装置とＬＣＤフレーム１１３の形状が異なる。すなわち、ＬＣＤフレーム１１３は、液晶パネル１２０を保持する。また、ＬＣＤフレーム１１３は、ＬＥＤ１３１および導光板１３２により構成されるフロントライトユニット２００を保持し、かつＬＥＤ１３１の上方に延在する突出部１１３ｂを有する。突出部１１３ｂは、ＬＥＤ１３１が発する光のうち、導光板１３２に照射されずに直接保護窓１０２の方へ漏れる光を遮光する機能を有する。ＬＥＤ１３１が存在しない部分にも突出部１１３ａが設けられている。また、ＬＣＤフレーム１１３に当接して液晶パネル１２０を保持するように支持板１１９が設けられている。
【００５０】
このように構成された液晶表示装置１００ｃにおいては、まず図２で示した液晶表示装置１００ａと同様の効果がある。さらに、ＬＣＤフレーム１１３の突出部１１３ｂが遮光機能を有するため、ＬＥＤ１３１から漏れ出した光が直接人の目に届くことがないため視認性が向上する。
【００５１】
また、この突出部１１３ｂは、ＬＣＤフレーム１１３の一部分を延長することにより形成されるため、新たな部材を用いることなく遮光機能を有する部分を形成することができる。
【００５２】
（実施の形態４）
図５は、この発明の実施の形態４に従ったフロントライトユニットを示す図である。図５の（Ａ）は、フロントライトユニットの平面図であり、（Ｂ）は、（Ａ）中のＢ−Ｂ線に沿って見た断面を示す図である。図５の（Ａ）を参照して、フロントライトユニット２００ａは、液晶パネルの表示面側に配置される導光板１３９と、導光板１３９により位置決めされる光源としてのＬＥＤ１３１と、ＬＥＤ１３１から放たれた光を導光板１３９に照射するように導光板により位置決めされる光伝達部材としてのライトガイド１３５とを有する。
【００５３】
導光板１３９は、アクリル樹脂などの透明な樹脂により構成され、その一方端に段差部分が形成されている。この段差部分にＬＥＤ１３１とライトガイド１３５とが載置されている。ＬＥＤ１３１とライトガイド１３５とは、光源支持部材としてのＦＰＣ１３３上に載置されている。ライトガイド１３５は一方向に延びるように形成され、その両端側にＬＥＤ１３１が配置されている。ライトガイド１３５はほぼ長方形状の上面を有し、ライトガイド１３５の長辺は導光板１３９に向かい合い、短辺はＬＥＤ１３１に向かい合う。
【００５４】
図５の（Ｂ）を参照して、導光板１３９の先端部分はテーパ形状となっており、そのさらに先端には段差が設けられている。この段差には孔が設けられ、この孔には、ライトガイド１３５の突出部１３５ａが挿入されている。
【００５５】
図６は、図５で示すフロントライトユニットの一部分の分解斜視図である。図６を参照して、フロントライトユニット２００ａの導光板１３９は、所定の貫通孔１３９ａを有する。ＦＰＣ１３３の両端にはＬＥＤ１３１が固定されている。ＦＰＣ１３３は貫通孔１３３ａを有する。ＦＰＣ１３３には、配線１３３ｂが接続されている。ＦＰＣ１３３の貫通孔１３３ａと導光板１３９の貫通孔１３９ａとを貫通する突出部１３５ａがライトガイド１３５に設けられている。貫通孔１３９ａおよび１３３ａに突出部１３５ａが嵌め合されて導光板１３９の上にＦＰＣ１３３およびライトガイド１３５が順に積層されて位置決めされる。
【００５６】
このように構成されたフロントライトユニット２００ａでは、導光板１３９、ＬＥＤ１３１およびライトガイド１３５が相互に関連し合うことにより位置決めされるため、これらの組立性を向上させることができる。さらに、貫通孔１３９ａおよび１３３ａにライトガイド１３５の突出部１３５ａを嵌め合せることにより、確実にＦＰＣ１３３、ＬＥＤ１３１、およびライトガイド１３５を、それぞれ、上下方向および左右方向に確実に位置決めすることができる。
【００５７】
（実施の形態５）
図７は、この発明の実施の形態５に従ったフロントライトユニットの平面図である。図７を参照して、フロントライトユニット２００ｂは、液晶パネルの表示面側に配置される導光板１３７と、導光板１３７により位置決めされる光源としてのＬＥＤ１３１と、ＬＥＤ１３１から放たれた光を導光板１３７に照射するように導光板１３７により位置決めされる光伝達部材としてのライトガイド１３８を有する。また、フロントライトユニット２００ｂは、ＬＥＤ１３１を支持する光源支持部材としてのＦＰＣ１３３を有する。ＦＰＣ１３３も導光板１３７により位置決めされる。導光板１３７は、一方向に延在する貫通溝１３７ａを有する。貫通溝１３７ａにライトガイド１３８およびＦＰＣ１３３が嵌め合されてライトガイド１３８およびＦＰＣ１３３が位置決めされている。貫通溝１３７ａには突出部１３７ｂが形成されており、この突出部１３７ｂにＦＰＣ１３３が接触している。
【００５８】
図８は、図７で示すフロントライトユニットの一部分の分解斜視図である。図８を参照して、フロントライトユニット２００ｂを構成する導光板１３７は、ほぼ直方体形状である。導光板１３７の先端には導光板１３７の幅方向に延びる貫通溝１３７ａが設けられ、貫通溝１３７ａには、突出部１３７ｂが形成されている。この貫通溝１３７ａにＦＰＣ１３３およびライトガイド１３８が嵌め合される。
【００５９】
このように構成されたフロントライトユニット２００ｂでも、図５および６で示したフロントライトユニット２００ａと同様の効果がある。
【００６０】
（実施の形態６）
図９は、この発明の実施の形態６に従った液晶表示装置の断面図である。図９で示す液晶表示装置１００ｄでは、フロントライトユニット２００を構成する導光板１３２およびＬＥＤ１３１と液晶パネル１２０との間に距離がｄの隙間が設けられている点で、このような隙間が設けられていない図２で示す液晶表示装置１００ａと異なる。この隙間の距離ｄは、液晶表示装置１００ｄの大きさや使用目的により適宜変更することができる。また、隙間を設けるためにＬＣＤフレーム１１２には段差部が形成され、この段差部にフレーム１５１が載置されている。
【００６１】
このように構成された液晶表示装置１００ｄでは、図２で示す液晶表示装置１００ａと同様の効果がある。さらに、フロントライトユニット２００を構成する導光板１３２およびＬＥＤ１３１と液晶パネル１２０との間に隙間を設けることにより以下の効果がある。すなわち、温度変化等により、液晶パネル１２０および導光板１３２のいずれかに反りが生じた場合でも、この反りが他方に伝達されることがない。そのため、液晶パネル１２０に表示された文字等ににじみが発生するのを防止することができる。さらに、この隙間により、液晶パネル１２０の表面が結露するのを防止することができ、常に良好な表示面を保持することができる。さらに、何らかの要因で導光板１３２に外力が加わっても、この外力が直接液晶パネル１２０に加わることがない。その結果、液晶パネル１２０が歪まず、文字のにじみなどが発生することがない。
【００６２】
（実施の形態７）
図１０は、この発明の実施の形態７に従った液晶表示装置の断面図である。図１０を参照して、この発明の実施の形態７に従った液晶表示装置１００ｅでは、液晶パネル１２０と、フロントライトユニット２００を構成する導光板１３２およびＬＥＤ１３１との間に隙間が設けられ、この隙間を封じる第１の密閉部材としてのパッキン１６１および１６２が設けられている点で、このようなパッキンが設けられていない図９で示す液晶表示装置１００ｄと異なる。パッキン１６１および１６２の材質は、気密性を高めるために、弾性を有するもの、たとえばゴムにより構成される。液晶パネル１２０と導光板１３２との間の距離は、液晶表示装置１００ｅの大きさや使用目的により適宜変更することができる。また、パッキン１６１および１６２の材質も、使用目的に応じて適宜変更することができる。
【００６３】
このように構成された液晶表示装置１００ｅでは、まず、図９で示した液晶表示装置１００ｄと同様の効果がある。さらに、パッキン１６１および１６２を設けているため、液晶パネル１２０と導光板１３２との間に形成された隙間にごみなどが入ることがない。その結果、液晶パネル１２０から保護窓１０２側へ射出した光がごみに遮られることがないため、良好な液晶パネル１２０の表示面を保持することができる。
【００６４】
（実施の形態８）
図１１は、この発明の実施の形態８に従った液晶表示装置の断面図である。図１１を参照して、この発明の実施の形態８に従った液晶表示装置１００ｆでは、ＬＥＤ１３１が圧接部材１７２とＬＥＤ基板１７１によりメイン基板１１０に接続されている点で、ＬＥＤ１３１がＦＰＣ１３３によりメイン基板１１０に接続されていた図９で示す液晶表示装置１００ｄと異なる。このような圧接部材１７２を設けるために、ＬＣＤフレーム１１２には、孔１１２ａが設けられている。この孔１１２ａを貫通するように圧接部材１７２が設けられている。圧接部材１７２の先端にはばねコネクタが取付けられ、メイン基板１１０の表面に形成された電極を押圧することが可能である。
【００６５】
このように構成された液晶表示装置１００ｆでは、まず、図９で示した液晶表示装置１００ｄと同様の効果がある。さらに、圧接部材１７２によりＬＥＤ１３１とメイン基板１１０との電気的な接続をとるため、ＬＥＤ１３１がさらに確実にメイン基板１１０に電気的に接続されるようになる。
【００６６】
（実施の形態９）
図１５は、この発明の実施の形態９に従った液晶表示装置の断面図である。図１５を参照して、この発明の実施の形態９に従った液晶表示装置１００ｇでは、フロントライトユニット２００と本体カバーとしてのフロントケース１０１の間に第２の密閉部材としてのクッション１４５および１４６が設けられている点で、フロントライトユニット２００とフロントケース１０１の間にパッキン１４１および１４２が設けられている図１０で示す液晶表示装置１００ｅと異なる。クッション１４５および１４６の材質は、気密性を高めるために、大きな弾性を有するものにより構成される。
【００６７】
このように構成された液晶表示装置１００ｇでは、図１０で示した液晶表示装置１００ｅと同様の効果がある。
【００６８】
以上、本発明の実施の形態について説明したが、ここで示した実施の形態はさまざまに変形することが可能である。
【００６９】
まず、液晶表示装置として、携帯電話機に用いるものを示したが、これに限られるものではなく、パソコン用のディスプレイやビデオカメラ等の他の機器にこの発明の液晶表示装置を提供することができる。
【００７０】
また、液晶パネルの液晶表示方法としては、従来知られているあらゆる液晶表示方法を用いることができる。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７２】
【発明の効果】
この発明に従えば、組立性が向上する液晶表示装置とフロントライトユニットを提供することができる。
【図面の簡単な説明】
【図１】  この発明の実施の形態１に従った液晶表示装置を有する携帯電話機の平面図である。
【図２】  図１中のII−II線に沿って見た断面を示す図である。
【図３】  この発明の実施の形態２に従った液晶表示装置の平面図である。
【図４】  この発明の実施の形態３に従った液晶表示装置の断面図である。
【図５】  この発明の実施の形態４に従ったフロントライトユニットを示す図であり、（Ａ）はフロントライトユニットの平面図であり、（Ｂ）は（Ａ）中のＢ−Ｂ線に沿って見た断面を示す図である。
【図６】  図５で示すフロントライトユニットの一部分の分解斜視図である。
【図７】  この発明の実施の形態５に従ったフロントライトユニットの平面図である。
【図８】  図７で示すフロントライトユニットの一部分の分解斜視図である。
【図９】  この発明の実施の形態６に従った液晶表示装置の断面図である。
【図１０】  この発明の実施の形態７に従った液晶表示装置の断面図である。
【図１１】  この発明の実施の形態８に従った液晶表示装置の断面図である。
【図１２】  従来の液晶表示装置を有する携帯電話機の平面図である。
【図１３】  図１２中のXIII−XIII線に沿って見た断面を示す図である。
【図１４】  従来のフロントライト方式の液晶表示装置の動作原理を示す模式図である。
【図１５】  この発明の実施の形態９に従った液晶表示装置の断面図である。
【符号の説明】
１００ａ〜１００ｆ  液晶表示装置、１１０  メイン基板、１１２，１１３，１１７  ＬＣＤフレーム、１１３ｂ  突出部、１２０  液晶パネル、１３１  ＬＥＤ、１３２，１３７，１３９  導光板、１３３  ＦＰＣ、１３３ａ貫通孔、１３５  ライトガイド、１３５ａ  突出部、１３９ａ  貫通孔、１６１，１６２  パッキン。
【図１】
0003864028.tif 000002
【図２】
0003864028.tif 000003
【図３】
0003864028.tif 000004
【図４】
0003864028.tif 000005
【図５】
0003864028.tif 000006
【図６】
0003864028.tif 000007
【図７】
0003864028.tif 000008
【図８】
0003864028.tif 000009
【図９】
0003864028.tif 000010
【図１０】
0003864028.tif 000011
【図１１】
0003864028.tif 000012
【図１２】
0003864028.tif 000013
【図１３】
0003864028.tif 000014
【図１４】
0003864028.tif 000015
【図１５】
0003864028.tif 000016